(57)【要約】【課題】  視聴者の映像機器、音響機器の設置形態に関係なく映像信号と音声信号との同期をとることが可能なテレビジョン放送受信装置を提供する。【解決手段】  アンテナ１１により受信されたテレビジョン放送波は、周知の復調装置１２により映像信号と音声信号とを復調したのち増幅装置１３に供給される。増幅装置１３は供給された映像信号と音声信号とを夫々増幅してＣＲＴである映像出力装置１４、内部スピーカである音声出力装置１５に供給すると共に、夫々増幅して映像信号を映像出力端子１６に、音声信号は遅延回路１７を介して音声出力端子１８に供給するようにする。【選択図】      図１
2005294911.tif 000002
【特許請求の範囲】
【請求項１】
少なくとも一組の映像信号の外部出力端子及び音声信号の外部出力端子を備えたテレビジョン放送受信装置であって、
前記映像信号の外部出力端子に接続される外部映像表示装置における映像信号の処理に要する遅延時間に同一の音声遅延を行う遅延手段を前記音声信号出力手段の前段に備え、
前記一組の外部出力端子に接続された前記外部映像表示装置で表示される映像の変化に同期するように音声を出力可能としたことを特徴とするテレビジョン放送受信装置。
【発明の詳細な説明】
【技術分野】
【０００１】
本発明は、テレビジョン放送受信装置に関する。
【背景技術】
【０００２】
テレビジョン放送受信装置において、映像信号処理回路と音声信号処理回路とは全く別個の構成をとっているため、テレビジョン放送波から映像信号と音声信号とを復調したとき、復調された各々の信号のタイミングがずれてしまう。そのため、映像信号に対して音声信号の相対的遅延量を調整することが行われている（例えば、特許文献１参照。）。
【０００３】
また、テレビジョン放送においては、衛星中継など伝送系で映像信号と音声信号との時間的ずれが生じる場合がある。そのため、受信側で映像信号と音声信号とのずれを映像モニタで視覚的に観察し、両者の同期をとる提案がされている（例えば、特許文献２参照。）。
【０００４】
【特許文献１】特開平８−２１２７０１号公報
【特許文献２】特開平５−２１９４５９号公報
【発明の開示】
【発明が解決しようとする課題】
【０００５】
ところで、上述の特許文献はいずれも映像信号と音声信号との相対遅延量をなくすることを目的としている。近年のモニタは映像信号のデジタル処理が一般的になっており、入力画像信号が出画されるまでの処理時間が大きい傾向にある。また、当然この映像信号の処理時間はモニタの機種毎に異なるものである。
【０００６】
従って、テレビジョン放送受信装置に接続するモニタによっては映像信号と音声信号とのずれが生じてしまい視聴に際して違和感が発生するという問題があった。
また、テレビジョン放送受信装置にアナログ音声出力、デジタル音声出力が装備されている場合など複数の音声出力系統が設けられている場合、出力系統毎に映像信号と音声信号とのずれが生じてしまい視聴に際して違和感が発生するという問題があった。
【０００７】
本発明は、以上の点に鑑みなされたもので、視聴者の映像機器、音響機器の設置形態に関係なく映像信号と音声信号との同期をとることが可能なテレビジョン放送受信装置を提供することを目的とする。
【課題を解決するための手段】
【０００８】
本発明は、上記課題を解決するために、以下に記載手段よりなる。
すなわち、
少なくとも一組の映像信号の外部出力端子及び音声信号の外部出力端子を備えたテレビジョン放送受信装置であって、
前記映像信号の外部出力端子に接続される外部映像表示装置における映像信号の処理に要する遅延時間に同一の音声遅延を行う遅延手段を前記音声信号出力手段の前段に備え、
前記一組の外部出力端子に接続された前記外部映像表示装置で表示される映像の変化に同期するように音声を出力可能としたことを特徴とするテレビジョン放送受信装置。
【発明の効果】
【０００９】
本発明の「テレビジョン放送受信装置」によれば、視聴者の映像機器、音響機器の設置形態に関係なく映像信号と音声信号との同期をとることが可能なテレビジョン放送受信装置を提供することができる。
【発明を実施するための最良の形態】
【００１０】
以下、本発明に係るテレビジョン放送受信装置の発明を実施するための最良の形態につき、好ましい実施例により説明する。
【実施例１】
【００１１】
図１は実施例１に適用されるテレビジョン放送受信装置の構成を示した概略ブロック図である。同図に示すように、テレビジョン放送受信装置１０はアンテナ１１、復調装置１２、増幅装置１３、映像出力装置１４、音声出力装置１５、映像出力端子１６、遅延回路１７、音声出力端子１８、操作入力部１９、ＣＰＵ９から構成されている。
【００１２】
アンテナ１１により受信されたテレビジョン放送波は、周知の復調装置１２により映像信号と音声信号とを復調したのち増幅装置１３に供給される。増幅装置１３は供給された映像信号と音声信号とを夫々増幅してＣＲＴである映像出力装置１４、内部スピーカである音声出力装置１５に供給する。当然、これら内部装置に対する映像信号と音声信号とは従来通り同期がとれているものである。
【００１３】
一方、増幅装置１３は供給された映像信号と音声信号とを夫々増幅して映像信号を映像出力端子１６に供給する。音声信号は遅延回路１７を介して音声出力端子１８に供給する。このとき、外部接続装置の状況に合わせ、ＣＰＵ９は操作入力部１９からの設定により遅延回路１７の遅延時間の制御を行うようにしている。映像出力端子１６及び音声出力端子１８から出力される映像信号と音声信号とは同期していない状態となるが、視聴者の機器設置に対応しているので、最終的に視聴する映像信号と音声信号とは同期したものとなる。
設定の状態を映像出力装置１４に表示させるように構成してもよい。
【実施例２】
【００１４】
次に複数の外部出力端子を備えた実施例２について説明する。図２は実施例２に適用されるテレビジョン放送受信装置の構成を示した概略ブロック図である。同図に示すように、テレビジョン放送受信装置２０はアンテナ１１、復調装置１２、増幅装置１３、映像出力端子（１）２１ａ、映像出力端子（２）２１ｂ、遅延回路（１）２３ａ、遅延回路（２）２３ｂ、音声出力端子（１）２２ａ、音声出力端子（２）２２ｂ、外部入力端子２５、操作入力部１９、ＣＰＵ２４、セレクタ２６から構成されている。、
【００１５】
アンテナ１１により受信されたテレビジョン放送波は、周知の復調装置１２により映像信号と音声信号とを復調したのち増幅装置１３に供給される。増幅装置１３は供給された映像信号と音声信号とを夫々増幅して、組である映像出力端子（１）２１ａ、及び遅延回路（１）２３ａを介して音声出力端子（１）２２ａに供給する。同時に、映像出力端子（２）２１ｂ、及び遅延回路（２）２３ｂを介して音声出力端子（２）２２ｂに供給する。
【００１６】
このとき、夫々の組の出力端子が接続されている外部接続装置の状況に合わせ、ＣＰＵ２４は操作入力部１９からの設定により遅延回路（１）２３ａ、遅延回路（２）２３ｂの遅延時間の制御を行うようにしている。映像出力端子（１）２１ａ、及び音声出力端子（１）２２ａから出力される映像信号と音声信号とは、また、映像出力端子（２）２１ｂ、及び音声出力端子（２）２２ｂから出力される映像信号と音声信号とは同期していない状態となるが、視聴者の機器設置に対応しているので、最終的に視聴する映像信号と音声信号とは同期したものとなる。
【００１７】
さらに、外部入力端子２５から入来する外部信号をセレクタ２６で切り換えられるよう構成しており、外部信号に関しても視聴者の機器設置に対応できるようにしている。また、増幅装置１３を複数用いる構成としてもよく、設定の状態を映像出力端子（１）２１ａ、映像出力端子（２）２１ｂに夫々表示させるように構成してもよい。
【図面の簡単な説明】
【００１８】
【図１】実施例１に適用されるテレビジョン放送受信装置の構成を示した概略ブロック図である。
【図２】実施例２に適用されるテレビジョン放送受信装置の構成を示した概略ブロック図である。
【符号の説明】
【００１９】
１０，２１…テレビジョン放送受信装置
１１…アンテナ
１２…復調装置
１３…増幅装置
１４…映像出力装置
１５…音声出力装置
１６，２１ａ，２１ｂ…映像出力端子
１７，２３ａ，２３ｂ…遅延回路
１８，２２ａ，２２ｂ…音声出力端子
１９…操作入力部
９，２４…ＣＰＵ
２５…外部入力端子
２６…セレクタ
【図１】
2005294911.tif 000003
【図２】
2005294911.tif 000004